(57)【要約】【課題】簡易かつ安価な構成でありながら送話者・受話者間に同時通話感を持たせ、両者の会話のし易さを向上させるインターホン装置を提供する。【解決手段】本発明のインターホン装置は、子機マイク及び子機スピーカを有する玄関子機と、親機マイク及び親機スピーカを有する居室親機とを設け、居室親機には、親機マイクから子機スピーカへの送話音声の送話ライン、玄関子機の子機マイクから親機スピーカへの受話音声の受話ラインの送話レベル、受話レベルを比較して各ラインの信号レベルを減衰して各ラインをそれぞれ形成又は遮断するためのボイススイッチと、ボイススイッチを迂回して親機マイクから子機スピーカへの信号伝送ラインを形成するための送話音声バイパス回路と、ボイススイッチを迂回して子機マイクから親機スピーカへの信号伝送ラインを形成するための受話音声バイパス回路とを備える。【選択図】図１
2009135596.tif 000002
【特許請求の範囲】
【請求項１】
子機マイク（１０１）及び子機スピーカ（１００）を有する玄関子機（１０３）と、親機マイク（１０７）及び親機スピーカ（１０６）を有する居室親機（１１０）とを設け、
前記居室親機には、前記親機マイクから前記子機スピーカへの送話音声の送話ライン、前記玄関子機の前記子機マイクから前記親機スピーカへの受話音声の受話ラインの送話レベル、受話レベルを比較して各ラインの信号レベルを減衰して各ラインをそれぞれ形成又は遮断するためのボイススイッチ（１０５）と、前記ボイススイッチを迂回して前記親機マイクから前記子機スピーカへの信号伝送ラインを形成するための送話音声バイパス回路（１０９）と、前記ボイススイッチを迂回して前記子機マイクから前記親機スピーカへの信号伝送ラインを形成するための受話音声バイパス回路（１０８）とを備えることを特徴とするインターホン装置。
【請求項２】
子機マイク（１０１）及び子機スピーカ（１００）を有する玄関子機（１０３）と、親機マイク（１０７）及び親機スピーカ（１０６）を有する居室親機（１１０）とを設け、
前記居室親機には、前記親機マイクから前記子機スピーカへの送話音声の送話ライン、前記玄関子機の前記子機マイクから前記親機スピーカへの受話音声の受話ラインの送話レベル、受話レベルを比較して各ラインの信号レベルを減衰して各ラインをそれぞれ形成又は遮断するためのボイススイッチ（１０５）及び前記ボイススイッチを制御するための制御回路（１２０）とを備え、
前記ボイススイッチには、前記親機マイクに入力される前記送話音声の信号レベルを減衰させるための送話音声アッテネータ（１１４）と、前記親機スピーカから出力される前記受話音声の信号レベルを減衰させるための受話音声アッテネータ（１１３）とを備え、
前記制御回路は、前記送話アッテネータ及び前記受話アッテネータの減衰量を互いに逆方向にそれぞれ可変させる機能を有することを特徴とするインターホン装置。
【請求項３】
前記送話アッテネータ及び前記受話アッテネータの総減衰量が−２０ｄＢ以下であって、前記送話レベル、前記受話レベルの比較に応じて前記送話アッテネータ及び前記受話アッテネータの一方の減衰量を−２０〜−３０ｄＢに可変したとき、前記送話アッテネータ及び前記受話アッテネータの他方の減衰量を０ｄＢに可変することを特徴とする請求項２記載のインターホン装置。
【発明の詳細な説明】
【技術分野】
【０００１】
本発明は、ボイススイッチを用いた拡声通話式インターホン装置に係り、特にボイススイッチに音声バイパスさせるための受話音声バイパス回路、送話音声バイパス回路を備えることにより通話に同時通話感を持たせ、会話のし易さを向上させることを可能にしたインターホン装置に関する。
【背景技術】
【０００２】
従来から、ボイススイッチを用いた拡声通話式インターホン装置についてはよく知られている。このようなボイススイッチを用いた拡声通話式インターホン装置は、例えば来訪者が居住者と通話を成立させるために玄関子機の子機マイクから送られた信号が居室親機のボイススイッチに入力され、一方、居住者が来訪者と通話をするために居室親機の親機マイクから送られた信号がやはり居室親機のボイススイッチに入力される。ここで、ボイススイッチは入力された子機マイクからの信号レベルと親機マイクからの信号レベルを比較して送話状態か受話状態かを切り替える（例えば、特許文献１参照）。
【０００３】
具体的には例えば図２に示すような構成を示すことができる。なお、ここでは説明の便宜上、インターホン装置のうち発明に関係している部分のみを表している。
【０００４】
即ち、従来のインターホン装置は図２（ａ）に示すように、子機マイク２０１、子機スピーカ２００、子機２線−４線変換回路２０２を備える玄関子機２０３と、親機２線−４線変換回路２０４、拡声通話を実現するためのボイススイッチ２０５、親機スピーカ２０６、親機マイク２０７を備える居室親機２０８とから構成されている。
【０００５】
また、従来のインターホンで用いられていたボイススイッチ２０５は、図２（ｂ）に示すように、送話レベル検波器２１０、受話レベル検波器２０９、アッテネータ制御回路２１３、送話アッテネータ２１２、受話アッテネータ２１１から構成されている。
【０００６】
ここで、従来のボイススイッチを用いたインターホン装置の動作を説明すると、親機マイク２０７から入力された音声は、ボイススイッチ２０５の送話レベル検波器２１０で検出され、アッテネータ制御回路２１３で受話レベル検波器２０９の出力と比較され、送話レベル検波器２１０の出力のほうが大きいと判断されると、ボイススイッチ２０５のモードが送話モードになる。反対に子機マイク２０１からの入力レベルのほうが大きいと判断された場合は、ボイススイッチ２０５のモードは受話モードになる。また両者からの入力が無い、もしくは同レベルの入力がある場合、ボイススイッチ２０５はアイドルモードになる（図２（ｃ）参照）。
【０００７】
例えばボイススイッチ２０５が送話モードになった場合、図２（ｃ）に示すように、送話アッテネータ２１２の送話減衰量は０ｄＢ、受話アッテネータ２１１の受話減衰量は−４０ｄＢとなり、親機マイク２０７の音声は子機スピーカ２００へ減衰なく送られ、一方子機マイク２０１からの音声は受話アッテネータ２１１で大きく減衰されほとんど親機スピーカ２０６からは出力されない。
【０００８】
以上説明した通り、従来のボイススイッチ２０５は送話モード・受話モードを内部で切り替え、一方の音声を通過させている間は他方の音声を大きく減衰させ、ほとんど出力させないようにしている。
【０００９】
ボイススイッチ２０５のこの動作により、音響帰還を含む音声パスに−４０ｄＢのアッテネータが入り、拡声通話におけるハウリングの防止を図っている。
【００１０】
【特許文献１】特開２００２−１０１２２０号公報
【発明の開示】
【発明が解決しようとする課題】
【００１１】
従来のボイススイッチを用いた拡声通話式インターホン装置においては、ボイススイッチの特性である送話モード・受話モードを相互に切り替えるという動作のために、自分が話している時には相手の声はほとんど聞こえず、相手が何か話そうとしていても自分が話すことをやめるタイミングが分からず、そのため会話の不自然さを招いてしまい、会話のし易さに不満があった。
【００１２】
本発明は、このような難点を解消するためになされたもので、簡易かつ安価な構成でありながら送話者・受話者間に同時通話感を持たせ、両者の会話のし易さを向上させるインターホン装置を提供するものである。
【課題を解決するための手段】
【００１３】
本発明のインターホン装置の第１の態様は、子機マイク及び子機スピーカを有する玄関子機と、親機マイク及び親機スピーカを有する居室親機とを設け、居室親機には、親機マイクから子機スピーカへの送話音声の送話ライン、玄関子機の子機マイクから親機スピーカへの受話音声の受話ラインの送話レベル、受話レベルを比較して各ラインの信号レベルを減衰して各ラインをそれぞれ形成又は遮断するためのボイススイッチと、ボイススイッチを迂回して親機マイクから子機スピーカへの信号伝送ラインを形成するための送話音声バイパス回路と、ボイススイッチを迂回して子機マイクから親機スピーカへの信号伝送ラインを形成するための受話音声バイパス回路とを備えることを特徴とする。
【００１４】
また、本発明のインターホン装置の第２の態様は、子機マイク及び子機スピーカを有する玄関子機と、親機マイク及び親機スピーカを有する居室親機とを設け、居室親機には、親機マイクから子機スピーカへの送話音声の送話ライン、玄関子機の子機マイクから親機スピーカへの受話音声の受話ラインの送話レベル、受話レベルを比較して各ラインの信号レベルを減衰して各ラインをそれぞれ形成又は遮断するためのボイススイッチ及びボイススイッチを制御するための制御回路とを備え、ボイススイッチには、親機マイクに入力される送話音声の信号レベルを減衰させるための送話音声アッテネータと、親機スピーカから出力される受話音声の信号レベルを減衰させるための受話音声アッテネータとを備え、制御回路は、送話アッテネータ及び受話アッテネータの減衰量を互いに逆方向にそれぞれ可変させる機能を有することを特徴とする。
【００１５】
さらに、本発明のインターホン装置の第３の態様は、第２の態様において、送話アッテネータ及び受話アッテネータの総減衰量が−２０ｄＢ以下であって、送話レベル、受話レベルの比較に応じて送話アッテネータ及び受話アッテネータの一方の減衰量を−２０〜−３０ｄＢに可変したとき、送話アッテネータ及び受話アッテネータの他方の減衰量を０ｄＢに可変することを特徴とする。
【発明の効果】
【００１６】
このように構成された本発明のインターホン装置によれば、ボイススイッチ方式の安価であるというメリットを維持しつつ会話のし易さを向上させることができる。従って、同時通話式の他の方法、例えばエコーキャンセラ方式に比べ安価に同時通話感を実現できるものである。
【発明を実施するための最良の形態】
【００１７】
以下、本発明のインターホン装置における好ましい実施の形態について図面を参照して説明する。
【００１８】
図１は本発明のインターホン装置を説明するための図である。図１（ａ）は本発明のインターホン装置の主としてボイススイッチに観点をおいたブロック図、図１（ｂ）はボイススイッチの内部を表したブロック図、図１（ｃ）は送話モード、受話モード等と減衰量との関係を示す図である。
【００１９】
図１（ａ）に示すように、本発明のインターホン装置は子機スピーカ１００、子機マイク１０１、子機２線−４線変換回路１０２を備える玄関子機１０３と、親機２線−４線変換回路１０４、ボイススイッチ１０５、親機スピーカ１０６、親機マイク１０７、受話音声バイパス回路１０８、送話音声バイパス回路１０９及び制御回路１２０を備える居室親機１１０で構成される。
【００２０】
ここで、玄関子機１０３において、子機スピーカ１００及び子機マイク１０１は子機２線−４線変換回路１０２と接続されており、この子機２線−４線変換回路１０２が居室親機１１０の親機２線−４線変換回路１０４と接続されている。また、親機２線−４線変換回路１０４にはボイススイッチ１０５、受話音声バイパス回路１０８、送話音声バイパス回路１０９が接続され、さらにボイススイッチ１０５と受話音声バイパス回路１０８は親機スピーカ１０６に接続され、送話音声バイパス回路１０９は親機マイク１０７に接続されている。そして、ボイススイッチ１０５には後述する制御回路１２０が接続されている。
【００２１】
このような本発明のインターホン装置における基本的な動作として、玄関子機１０３の子機マイク１０１からの来訪者の音声は子機２線―４線変換回路１０２を経由して居室親機１１０の親機２線―４線変換回路１０４に入力され、ボイススイッチ１０５を経由して親機スピーカ１０６から放音される。一方、同様に居室親機１１０の親機マイク１０７からの居住者の音声はボイススイッチ１０５を経由して親機２線―４線変換回路１０４に入力され、玄関子機１０３の子機２線―４線変換回路１０２を経由して子機スピーカ１００から放音される。
【００２２】
ところで、本発明のインターホン装置では、従来のインターホン装置と異なり居室親機１１０において、親機２線―４線変換回路１０４から受話音声バイパス回路１０８がボイススイッチ１０５を迂回するように親機スピーカ１０６に接続されており、一方親機マイク１０７から送話音声バイパス回路１０９がボイススイッチ１０５を迂回するように親機２線―４線変換回路１０４に接続された構成となっている。
【００２３】
なお、居室親機１１０に備えられているボイススイッチ１０５は図２（ｂ）に示した従来のインターホン装置で用いられていたボイススイッチ２０５と同じ構成である。即ち、図１（ｂ）のブロック図で示すように、ボイススイッチ１０５は送話レベル検波器１１２、受話レベル検波器１１１、アッテネータ制御回路１１５、送話アッテネータ１１４、受話アッテネータ１１３から構成されており、これら送話レベル検波器１１２、受話レベル検波器１１１、送話アッテネータ１１４、受話アッテネータ１１３はそれぞれアッテネータ制御回路１１５に接続され、その動作も基本的には従来から用いられていたボイススイッチと同様である。また、アッテネータ制御回路１１５には後述する制御回路１２０が接続されている。
【００２４】
このように、従来のボイススイッチ２０５は会話の送話・受話について完全に遮断するか、または４０ｄＢ程度の減衰量で切り替えており、一方が話している間は他方からの声を聞くことはできなかったが、本発明のインターホン装置は、受話音声バイパス回路１０８、送話音声バイパス回路１０９を設けることで、例えば親機マイク１０７から音声が入力され、ボイススイッチ１０５が送話モードになり、受話アッテネータ１１３が−４０ｄＢとなった場合でも、受話音声バイパス回路１０８の働きにより音声がわずかにボイススイッチ１０５をバイパスすることで、子機マイク１０１に入力された音声を親機スピーカ１０６から聞くことができる。
【００２５】
送話音声バイパス回路１０９、受話音声バイパス回路１０８の音声バイパス量は、インターホンの音響帰還を含む通話路のループゲインで決まり、これが１を超えないように設計する必要がある。実際には位相差もあるため、必ずしもループゲインが１以下である必要はないが、様々な環境下においてハウリングを防止するためにはループゲイン１以下とすることが望ましい。
【００２６】
ところで、本発明のインターホン装置には図１（ａ）、図１（ｂ）に示すように居室親機１１０にボイススイッチ１０５を制御するための制御回路１２０が備えられている。
【００２７】
ボイススイッチ１０５の基本動作は上述の動作と同じであり、例えば親機マイク１０７から音声が入力され、送話レベル検波器１１２で音声レベルを検出し、アッテネータ制御回路１１５が送話モードだと判断し、送話アッテネータ１１４、受話アッテネータ１１３を制御する。
【００２８】
この際、制御回路１２０から、例えば−２５ｄＢの減衰量信号をアッテネータ制御回路１１５に送信することにより、抑制される側のアッテネータ、この場合受話アッテネータ１１３の減衰量を制御するものである。また、上記と反対の動作も可能であり、制御回路１２０からの減衰量信号により、抑制される側のアッテネータ、つまり送話アッテネータ１１４の減衰量を制御することもできる。このように、この制御回路１２０は、送話アッテネータ及び受話アッテネータの減衰量を互いに逆方向に可変させる機能を有している。
【００２９】
即ち、送話アッテネータ及び受話アッテネータの総減衰量が−２０ｄＢ以下であって、送話レベル、受話レベルの比較に応じて送話アッテネータ及び受話アッテネータの一方の減衰量を−２０〜−３０ｄＢに可変したとき、送話アッテネータ及び受話アッテネータの他方の減衰量を０ｄＢにするとよい。
【００３０】
これにより例えば図１（ｃ）に示すように、受話アッテネータ１１３の最大減衰量を−３０ｄＢとした場合、従来のインターホンに比べ、１０ｄＢ大きい音を親機スピーカ１０６から聞くことができる。
【００３１】
なお、制御回路１２０によるアッテネータ制御方法には、特に本発明のインターホン装置に用いられている方式に限定されるものではなく、他に直流電圧値やシリアルデータによるデジタル制御方式を用いることも可能である。
【００３２】
即ち、本発明のインターホン装置によれば、ボイススイッチ方式でありながら来訪者や居住者が話をしながらでも他方の声が聞こえるため、従来のボイススイッチに比べ同時通話感があり、会話のし易さを向上させることができる。またエコーキャンセラ方式による同時通話に比べ、安価な回路構成で済むという利点も有している。
【図面の簡単な説明】
【００３３】
【図１】本発明のインターホン装置を説明するための図である。
【図２】従来のインターホン装置を説明するための図である。
【符号の説明】
【００３４】
１００・・・子機スピーカ
１０１・・・子機マイク
１０２・・・子機２線−４線変換回路
１０３・・・玄関子機
１０４・・・親機２線−４線変換回路
１０５・・・ボイススイッチ
１０６・・・親機スピーカ
１０７・・・親機マイク
１０８・・・受話音声バイパス回路
１０９・・・送話音声バイパス回路
１１０・・・居室親機
１１３・・・受話アッテネータ
１１４・・・送話アッテネータ
１２０・・・制御回路
【図１】
2009135596.tif 000003
【図２】
2009135596.tif 000004